(57)【特許請求の範囲】
【請求項１】
操作項目を選択状態または非選択状態で表示する操作項目表示信号を出力する操作項目表示信号出力部、
前記操作項目の選択状態を確定させる確定命令が入力される操作入力部、
前記操作項目が選択状態にて前記確定命令が与えられると、前記操作項目の選択を確定させる確定信号を出力する制御部、
を有する画像再生装置において、
前記制御部は、
前記操作項目が選択状態にて画像再生処理を実行させる再生命令が与えられた場合には、前記確定信号及び画像再生処理を実行させる再生信号を出力すること、
を特徴とする画像再生装置。
【請求項２】
少なくとも画像再生ボタンを選択状態または非選択状態で表示する再生ボタン表示信号を出力するボタン表示信号出力部、
ボタン選択モードにおいて、前記画像再生ボタンの選択状態を確定させる確定命令が入力される確定命令入力部、
通常再生モードにおいて、画像再生処理を実行させる再生命令が入力される再生命令入力部、
ボタン選択モードにおいて、前記画像再生ボタンが選択状態にあるときに、前記確定命令が与えられると、前記確定信号を出力する制御部、
を有するDVDプレイヤーにおいて、
前記制御部は、
前記ボタン選択モードにおいて、前記画像再生ボタンが選択状態にあるときに、前記再生命令が与えられると、前記確定信号及び画像再生処理を実行させる再生信号を出力すること、
を特徴とするDVDプレイヤー。
【発明の詳細な説明】
【０００１】
【発明の属する技術分野】
本発明は、画像再生装置に関し、特に、使用者の過誤の操作入力対しても適切に画像表示処理を行うことができる画像再生装置に関する。
【０００２】
【従来の技術】
従来の画像再生装置としてのDVD（Digital Versatile Disc）を再生するDVDプレイヤー１００について、図４、図５を用いて説明する。DVDプレイヤー１００は、本体１３０とリモコン１５０とを有している。
【０００３】
図４に本体１３０の外観図を示す。本体１３０は、パネルの前面に再生ボタンB１００を有している。また、図５に、リモコン１５０の外観図を示す。リモコン１５０は、操作面上に再生キーB１５０、エンタキーB１７０および移動キーB１９０を有している。
【０００４】
DVDを本体１３０のディスク格納トレイＢ１２０にセットすると、本体１３０はDVDからデータの読み込みを始める。すると、図６に示すようないくつかのボタンが表示されたメニュー画像が、自動的に表示され、ボタン選択モードに入る。メニュー画像には、ボタンＢ２０１、ボタンＢ２０３、ボタンＢ２０５が表示される。ボタンＢ２０１は、本編の画像を再生するためのボタンであり、ボタンＢ２０３は、音声や字幕の言語の設定を行うためのボタンであり、ボタンＢ２０５は、出演者の紹介を再生するためのボタンである。
【０００５】
使用者は、リモコン１５０の移動キーＢ１９０を操作して、所望のボタンを選択して、そのボタンを選択状態とする。この時、選択されたボタンが、いわゆるハイライト表示される。ボタンがハイライト表示されている状態で、プレイキーB１５０を操作することによって、ボタンの選択を確定する。これによって、本体１３０において、確定されたボタンに対応した画像表示処理が行われる。
【０００６】
【発明が解決しようとする課題】
前述のDVDプレイヤー１００およびDVDには以下に示すような問題点がある。
【０００７】
第１の問題点は、使用者が、メニュー画像の「本編へ」ボタンＢ２０１を選択した後、リモコン１５０のプレイキーＢ１５０を操作しても、本編を再生させることができない場合があるということである。
【０００８】
これは、次のような理由による。DVDの規格では、メニュー画像におけるボタンＢ２０１が選択状態にあるときに、いずれのキー操作によってその選択状態を確定するのかについては、規定されていない。このため、メニュー画像（図６参照）においてボタンＢ２０１を確定して画像を再生する際に、前述のようにプレイキーＢ１５０を操作することによってボタンＢ２０１の選択状態を確定するDVD、エンタキーＢ１７０を操作することによってボタンＢ２０１の選択状態を確定するDVD等が存在する。したがって、後者のDVDの場合、使用者が、メニュー画像の「本編へ」ボタンＢ２０１を選択した後、リモコン１５０のプレイキーＢ１５０を操作しても、本編を再生させることができないことになる。
【０００９】
第２の問題点は、前述のエンタキーＢ１７０を操作することによってボタンＢ２０１の選択状態を確定するDVDについては、リモコン１５０がなければ、ボタンＢ２０１を確定することができず、本編の再生を行うことができない、という問題点がある。
【００１０】
これは、通常、リモコン１７０にはエンタキーＢ１７０が設けられるが、本体１５０には、配置スペース等の問題からエンタキーが設けられないことが多いからである。
【００１１】
そこで、本発明は、操作項目が選択状態にあるときに、誤って再生信号を与えたとしても、操作項目の選択状態を確定させることができる画像再生装置の提供を目的とする。
【００１２】
また、操作項目を確定させる確定信号を与えることができなくても、再生信号を与えれば、操作項目の選択状態を確定させることができる画像再生装置の提供を目的とする。
【００１３】
さらに、ボタン選択モードにおいて、確定命令、再生命令のいずれを入力したとしても、所望の画像再生処理を得ることができる画像再生装置の提供を目的とする。
【００１４】
【課題を解決するための手段および発明の効果】
本発明にかかる画像再生装置では、制御部は、操作項目が選択状態にて画像再生処理を実行させる再生命令が与えられた場合には、前記確定信号及び画像再生処理を実行させる再生信号を出力する。これにより、操作項目が選択状態の時に再生命令が与えられたとしても、選択項目を確定させる確定信号を出力することができる。したがって、操作項目が選択状態にあるときに、誤って再生命令を与えたとしても、操作項目の選択状態を確定させることができる。また、操作項目を確定させる確定命令を与えることができなくても、再生信号を与えれば、操作項目の選択状態を確定させることができる。
【００１６】
本発明にかかるDVDプレイヤーでは、記制御部は、ボタン選択モードにおいて、画像再生ボタンが選択状態にあるときに、再生命令が与えられると、確定信号及び画像再生処理を実行させる再生信号を出力する。
【００１７】
これにより、ボタン選択モードにおいて、画像再生ボタンが選択状態にあるときに、確定信号、再生信号の画像再生操作を行ったとしても、再生信号の出力を行うことができる。したがって、使用者は、ボタン選択モードにおいて、選択決定命令、再生命令のいずれを入力したとしても、所望の画像再生処理を得ることができる。
【００１８】
ここで、クレームの各構成要素と実施の形態の各構成要素との対応関係を示す。操作項目表示信号出力部はメカ部５１、信号処理部５２、ビデオ・オーディオ復調部５３、ビデオDAC５５およびCPU５６に、操作入力部は操作部５８およびリモコン６０に、制御部はSUB_CPU５９に対応する。また、ボタン表示信号出力部はメカ部５１、信号処理部５２、ビデオ・オーディオ復調部５３、ビデオDAC５５およびCPU５６に、確定命令入力部はリモコン６０に、再生命令入力部は操作部５８およびリモコン６０に、それぞれ対応する。
【００１９】
また、制御部は、図３のフローチャートに示す各ステップを実行する。
【００２０】
【発明の実施の形態】
1.画像再生装置の全体構成
本発明にかかる画像再生装置１の実施形態における全体構成を図１に示す。操作項目表示信号出力部３は、操作入力部５、制御部７を有している。
【００２１】
操作項目表示信号出力部３は、操作項目を選択状態または非選択状態で表示する操作項目表示信号を出力する。操作入力部５は、操作項目の選択状態を確定させる確定命令が入力される。
【００２２】
制御部７は、操作項目が選択状態にて確定命令が与えられると、操作項目の選択を確定させる確定信号を出力する。また、操作項目が選択状態にて再生命令が与えられた場合にも、確定信号を出力する。さらに、操作項目が選択状態にて再生命令が与えられた場合には、操作項目を選択する確定信号を出力し、操作項目が選択状態にて確定命令が与えられた場合には、再生信号を出力しない。
【００２３】
これにより、操作項目が選択状態にあるときに、誤って再生命令を与えたとしても、操作項目の選択状態を確定させることができる。
【００２４】
また、操作項目を確定させる確定命令を与えることができなくても、再生命令を与えれば、操作項目の選択状態を確定させることができる。
【００２５】
さらに、確定命令によって確定信号と再生信号とを出力すると誤動作をおこすような場合であっても、操作項目が選択状態にあるときに、誤って再生命令を与えたとしても、操作項目の選択状態を確定させることができる。
【００２６】
さらに、使用者は、ボタン選択モードにおいて、確定命令、再生命令のいずれを入力したとしても、所望の画像再生処理を得ることができる。
【００２７】
2.DVDプレイヤー
本発明にかかる画像再生装置１の一実施形態であるDVD（Digital Versatile Disc）プレイヤー２１を図２を用いて説明する。
【００２８】
2.1.  ハードウェア構成
DVDプレイヤー２１は、本体３０及びリモコン６０を有している。本体３０のハードウェア構成を図２に示す。本体３０は、メカ部５１、信号処理部５２、ビデオ・オーディオ復調部５３、オーディオDAC５４、ビデオDAC５５、CPU５６、メモリ５７、操作部５８、およびSUB_CPU５９を有している。
【００２９】
ドライブユニット、サーボ処理部を含むメカ部５１は、DVD５０のデジタル信号を読み取る。信号処理部５２は、メカ部５１が読み取ったデジタル信号に対して同期検出処理等を施す。ビデオ・オーディオ復調部５３は、当該デジタル信号にMPEG2復調処理を施す。オーディオDAC５４は、復調されたデジタル音声信号をアナログ音声信号化する。ビデオDAC５５は、復調されたデジタル映像信号をアナログビデオ信号化する。表示部５０は、アナログビデオ信号に基づいた画像を表示する。CPU５６は、メモリ５７に記録されたDVD制御プログラムにしたがって、各部の動作を制御する。なお、CPU５６は、DVDの再生に関する処理を行う。
【００３０】
操作部５８は、操作者からの入力操作を受け付ける。また、リモコン６０からの信号を受け付ける。SUB_CPU５９は、メモリ５７に記録された操作管理プログラムにしたがって、操作部からの信号を受け取り、所定の信号をCPU５６へ送出する。なお、SUB_CPU５９は、操作部５８とCPU５６との信号の受け渡し処理を行う。
【００３１】
2.2.  フローチャート
本体３０にDVD７０がセットされると、図６に示すようなメニュー画像が表示され、ボタン選択モードに入る。ボタン選択モードにおけるSUB_CPU５９の制御動作の一例を図２に示すフローチャートを用いて説明する。ユーザーは、リモコン６０の移動キーＢ１９０（図５参照）を操作して、これから行おうとする処理に対応するボタンをハイライト表示させ、選択状態とする。この場合、本編の再生を行うべく、「本編へ」ボタンＢ２０１を選択状態としているとする。かかる処理については、従来と同様であるので説明は省略する。
【００３２】
SUB_CPU５９は、確定命令を受け取ったか否かを判断する（Ｓ１：図２参照）。本実施形態においては、エンタキーＢ１７０からの信号を確定信号としている。したがって、ユーザーがリモコン６０のエンタキーＢ１７０を操作したか否かを判断する。
【００３３】
確定命令を受け取った場合には、SUB_CPU５９は、確定信号をCPU５６へ出力する（Ｓ３）。CPU５６は、確定信号を受け取ると本編の画像を再生する処理を実行すべく、各部を制御する。
【００３４】
一方、SUB_CPU５９は、確定命令を受け取らなかった場合には、再生命令を受け取ったか否かを判断する（Ｓ５）。本実施形態においては、プレイキーＢ１５０からの信号を再生信号としている。したがって、ユーザーがリモコン１５０のプレイキーＢ１５０を操作したか否かを判断する。
【００３５】
再生命令を受け取った場合には、再生信号および確定信号をCPU５６へ出力する（Ｓ７）。CPU５６は、確定信号を受け取ると本編の画像を再生する処理を実行する。なお、CPU５６は、ボタン選択モードにおいて、再生信号を受け取ってもその再生信号による処理は行わないので、再生信号は無視される。
【００３６】
なお、これまでは、ボタン選択モードにおいて再生命令を受け取った場合のSUB_CPU５９の処理を示したが、通常再生モードにおいても、SUB_CPU５９は同様の処理を行う。その他の通常再生モードにおけるSUB_CPU５９の動作は、従来のDVDプレイヤー１００とほぼ同様であるので、その説明は省略する。
【００３７】
このように、DVDプレイヤー２１では、CPU５６がボタン選択モードであっても、通常再生モードであっても、SUB_CPU５９は、本体３０のプレイキーＢ１００（図４参照）、リモコン６０のプレイキーＢ１５０（図５参照）の操作による再生命令を受け取った場合、常に、確定信号、再生信号の両方を出力するようにしている。このような構成とすることによって、エンタキーＢ１７０の操作によってボタンＢ２０１が確定されるDVDであっても、プレイキーＢ１００、Ｂ１５０の操作によってボタンＢ２０１を確定することができ、本編の画像の再生を行うことができる。
【００３８】
さらに、前述の構成としたことは、本実施形態に示したような２つのCPU（CPU５６およびSUB_CPU５９）を有する場合には、特に有効である。それは、一方のCPU（本実施形態においては、SUB_CPU５９）は、再生命令を受け取った場合、常に、確定信号、再生信号の両方を出力するので、他方のCPUの状態（本実施形態においては、CPU５６がボタン選択モードにあるか、通常再生モードにあるか）を判断する必要がなくなるので、より単純なプログラムもしくはハードウェア構成とすることができるからである。
【００３９】
また、通常再生モードでは、CPU５６は、SUB_CPU５９からCPU５６に出力された確定信号に対する処理を行わないので、本編の画像が一時停止した後に、画像の再生を行うことができる。
【００４０】
［その他の実施形態］
前述の実施形態においては、本体３０は、外部からの信号を処理するSUB_CPU５６と内部の各構成を制御するCPU５９の２つを有する構成とした。しかし、本体３０は２つの機能を統合したCPUを１つだけを有するものとしてもよい。
【００４１】
また、前述の実施形態においては、画像再生装置がDVDプレイヤー２１である場合を示したが、メニュー画像に関するデータや本編画像に関するデータを有し、当該画像に関するデータを再生する画像再生装置であれば、例示のものに限定されない。
【００４２】
さらに、画像に関するデータが記録されている媒体はDVDでなくともよい。画像に関するデータが記録できるものであれば、ビデオCD等の光磁気ディスク、メモリ等の半導体記録媒体、フロッピィディスク、ハードディスク等の磁気記録媒体であってもよい。
【００４３】
さらに、画像に関するデータはDVD等の記録媒体から提供されるものである必要はない。例えば、画像に関するデータを通信（無線、有線を含む）によって提供されてもよい。
【００４４】
さらに、前述の実施形態においては、リモコン６０のエンタキーＢ１７０により、確定命令を入力する構成としたが、確定命令を入力できる構成であれば例示のものに限定されない。例えば、本体３０にエンタキーを設けて確定命令を入力する構成としても良い。
【００４５】
さらに、前述の実施形態においては、エンタキーＢ１７０の操作が選択状態にあるボタンＢ２０１に与えられると、本編画像の再生を実行し、エンタキーＢ１７０の操作が選択状態にあるボタンＢ２０３に与えられると、言語等の設定を実行する動作の実行方法において、エンタキーＢ１７０の操作とは相違するプレイキーＢ１５０の操作が選択状態にあるボタンＢ２０１に与えられても、本編画像の再生を実行する動作の実行方法を示したが、例示の動作の実行に限定されない。
【００４６】
つまり、第１の操作入力が第１の操作項目に与えられると、当該第１の操作項目に予め定められた第１の動作を実行し、第１の操作入力が第２の操作項目に与えられると、当該第２の操作項目に予め定められた第２の動作を実行する動作の実行方法において、前記第１の操作入力とは相違する第２の操作入力が第１の操作項目に与えられても、前記第１の動作を実行すること、を特徴とする動作の実行方法としてもよい。これにより、第２の操作入力が第１の操作項目に与えられた場合でも、第１の動作を実行することができる。したがって、第１の操作入力と第２の操作入力とが誤って行われたとしても、第１の動作を実行することができる。
【図面の簡単な説明】
【図１】本発明にかかる画像再生装置１の機能ブロック図を示す図である。
【図２】本体３０のハードウェア構成を示す図である。
【図３】メニュー選択モードにおけるSUB_CPU５９の動作を示すフローチャートである。
【図４】従来のDVDプレイヤー１００の本体１３０の外観図である。
【図５】従来のDVDプレイヤー１００のリモコン１５０の外観図である。
【図６】  DVDを再生した際に表示されるメニュー画像の一例を示した図である。
【符号の説明】
１・・・・・画像再生装置
３・・・・・操作項目表示信号出力部
５・・・・・操作入力部
７・・・・・制御部
【図１】
0003663622.tif 000002
【図２】
0003663622.tif 000003
【図３】
0003663622.tif 000004
【図４】
0003663622.tif 000005
【図５】
0003663622.tif 000006
【図６】
0003663622.tif 000007